(57)【特許請求の範囲】
【請求項１】
被冷却空間に設置された第１の室内熱交換器と室外に設置された第１の利用側熱交換器とを配管で接続して環状に形成され、水またはブラインが循環する第１の熱搬送媒体回路、および前記被冷却空間に設置された第２の室内熱交換器と室外に設置された第２の利用側熱交換器とを配管で接続して環状に形成され、水またはブラインが循環する第２の熱搬送媒体回路の２つの熱搬送媒体回路と、冷房運転と暖房運転とを切替えて行う空調用冷媒回路と、を備えた空気調和装置であって、
前記第１の熱搬送媒体回路を構成する配管のうちの前記第１の室内熱交換器を流れた水またはブラインが戻る配管の部分と、前記第２の熱搬送媒体回路を構成する配管のうちの前記第２の室内熱交換器から水またはブラインが戻る配管の部分とを１つの共通配管とし、
前記共通配管に、水またはブラインを前記第１の熱搬送媒体回路および前記第２の熱搬送媒体回路に同時に循環させることが可能な熱搬送媒体循環ポンプを組み込み、
前記空調用冷媒回路は、空調用圧縮機、空調用流路切替弁、空調用熱源側の熱搬送媒体と熱交換を行うための空調用熱源側熱交換器、第１の空調用膨張弁、前記第１の利用側熱交換器を順次冷媒配管で接続して環状に形成された空調用冷媒メイン回路を備え、
前記空調用冷媒メイン回路に、前記第１の利用側熱交換器をバイパスする空調用冷媒分岐路を設け、
前記第１の利用側熱交換器と並列に接続されるように、前記空調用冷媒分岐路に前記第２の利用側熱交換器を設け、
前記第１の利用側熱交換器と前記第２の利用側熱交換器とが直列に接続されるように、前記空調用冷媒メイン回路と前記空調用冷媒分岐路とを空調用バイパス配管で接続し、
前記空調用冷媒回路に、第１の利用側熱交換器と前記第２の利用側熱交換器との接続を直列と並列とに切替えるための接続切替手段を設け、
前記接続切替手段により前記第１の利用側熱交換器と前記第２の利用側熱交換器とが直列に接続された状態における前記空調用冷媒回路の前記第１の利用側熱交換器と前記第２の利用側熱交換器との間の位置に、第２の空調用膨張弁を設けた
ことを特徴とする空気調和装置。
【請求項２】
請求項１の記載において、
前記第１の熱搬送媒体回路または前記第２の熱搬送媒体回路に、水またはブラインの流量を制御する熱搬送媒体用流量制御弁を設けた
ことを特徴とする空気調和装置。
【請求項３】
請求項１または２の記載において、
前記第１の室内熱交換器と前記第２の室内熱交換器との位置関係は、前記第１の室内熱交換器と前記第２の室内熱交換器に流入する空気の流れ方向に対して平行である
ことを特徴とする空気調和装置。
【請求項４】
請求項１〜３のいずれか１項の記載において、
前記第１の室内熱交換器は、前記第２の室内熱交換器より鉛直方向の上方に位置する
ことを特徴とする空気調和装置。
【請求項５】
請求項１〜４のいずれか１項の記載において、
前記第１の熱搬送媒体回路および前記第２の熱搬送媒体回路を構成する配管のうち、前記共通配管の内径をｄｉＲとし、それ以外の配管の内径をｄｉＣとしたときに、ｄｉＣをｄｉＲで除した値（即ち、ｄｉＣ／ｄｉＲ）が０．５以上かつ０．８以下である
ことを特徴とする空気調和装置。
【請求項６】
被冷却空間に設置された第１の室内熱交換器と室外に設置された第１の利用側熱交換器とを配管で接続して環状に形成され、水またはブラインが循環する第１の熱搬送媒体回路、および前記被冷却空間に設置された第２の室内熱交換器と室外に設置された第２の利用側熱交換器とを配管で接続して環状に形成され、水またはブラインが循環する第２の熱搬送媒体回路の２つの熱搬送媒体回路と、冷房運転と暖房運転とを切替えて行う空調用冷媒回路と、を備えた空気調和装置であって、
前記第１の熱搬送媒体回路を構成する配管の一部に、前記第２の熱搬送媒体回路を構成する配管の一部と共通で用いられる共通配管を組み込み、
前記共通配管に、水またはブラインを前記第１の熱搬送媒体回路および前記第２の熱搬送媒体回路に同時に循環させることが可能な熱搬送媒体循環ポンプを組み込み、
前記空調用冷媒回路は、空調用圧縮機、空調用流路切替弁、空調用熱源側の熱搬送媒体と熱交換を行うための空調用熱源側熱交換器、第１の空調用膨張弁、前記第１の利用側熱交換器を順次冷媒配管で接続して環状に形成された空調用冷媒メイン回路を備え、
前記空調用冷媒メイン回路に、前記第１の利用側熱交換器をバイパスする空調用冷媒分岐路を設け、
前記第１の利用側熱交換器と並列に接続されるように、前記空調用冷媒分岐路に前記第２の利用側熱交換器を設け、
前記第１の利用側熱交換器と前記第２の利用側熱交換器とが直列に接続されるように、前記空調用冷媒メイン回路と前記空調用冷媒分岐路とを空調用バイパス配管で接続し、
前記空調用冷媒回路に、第１の利用側熱交換器と前記第２の利用側熱交換器との接続を直列と並列とに切替えるための接続切替手段を設け、
前記接続切替手段により前記第１の利用側熱交換器と前記第２の利用側熱交換器とが直列に接続された状態における前記空調用冷媒回路の前記第１の利用側熱交換器と前記第２の利用側熱交換器との間の位置に、第２の空調用膨張弁を設けた
ことを特徴とする空気調和装置。
【発明の詳細な説明】
【技術分野】
【０００１】
本発明は、空気調和装置に係り、特に、被冷却空間に設置された室内熱交換器に水や熱媒体を循環させることにより空調を行うチラー型の空気調和装置に好適なものである。
【背景技術】
【０００２】
一般家屋やオフィスビル等をセントラル方式（一カ所で冷水や温水を作り、各室に循環する方式のこと）で除湿運転を行う従来の技術としては、例えば、特許文献１に記載された技術がある。特許文献１に記載の技術は、ヒートポンプ式の冷凍機ユニットに氷蓄熱を行う蓄熱槽ユニットと熱交換器とを並列に接続し、冷凍機ユニットからのブラインを蓄熱槽または熱交換器のいずれか一方に送るブライン切替弁装置を備え、熱交換器からの温水または冷水を温水コイルと冷水コイルのどちらかに送るかを切り替える送水切替え弁装置と、冷水コイルからの冷水を蓄熱槽ユニットと熱交換器のどちらかに戻すかを切り替える返水切替弁装置とを設ける事によって除湿運転を可能とする技術である。
【先行技術文献】
【特許文献】
【０００３】
【特許文献１】特開２００３−１２０９６５号公報
【発明の概要】
【発明が解決しようとする課題】
【０００４】
しかしながら、特許文献１に記載の従来技術では、除湿運転を行うために冷水・温水を個別に搬送する手段が必要となる。そのため、特許文献１の技術では、複数のポンプ、配管、流量制御弁などを設けなければならず、設備コストが増大するといった課題がある。さらに、特許文献１の技術では、複数の機器を制御しなければならないため、制御が複雑になるといった課題を有している。【０００５】
また、特許文献１に記載の技術では、温水コイルと冷水コイルが空気の流れに対して前後に直列で、かつ温水コイルが空気流れに対して冷水コイルより後流側（下流側）に配置されているため、冷水−温水といった順序で除湿する方式の除湿運転を行った場合（つまり、冷水により冷却除湿してから温水により再加熱して室内に空気を送風する除湿運転を行った場合）には適した配置となっているが、冷房運転や暖房運転においては、その配置のために、空気流れに対して後流側の温水コイルでは空気と冷媒との温度差を大きく取ることができない。そのため、特許文献１の技術では、冷房運転や暖房運転の際に、その温水コイルの熱交換器を効率良く利用することができないといった課題を有している。【０００６】
本発明は、上記した実情に鑑みてなされたものであり、その第１の目的は、部品点数を削減でき、制御を簡単にできるチラー型の空気調和装置を提供することにある。また、第２の目的は、熱交換効率の良いチラー型の空気調和装置を提供することにある。また、第３の目的は、１つの冷凍サイクルで除湿運転を行うことができるチラー型の空気調和装置を提供することにある。
【課題を解決するための手段】
【０００７】
上記した課題を解決するために、本発明に係る空気調和装置は、被冷却空間に設置された第１の室内熱交換器と室外に設置された第１の利用側熱交換器とを配管で接続して環状に形成され、水またはブラインが循環する第１の熱搬送媒体回路、および前記被冷却空間に設置された第２の室内熱交換器と室外に設置された第２の利用側熱交換器とを配管で接続して環状に形成され、水またはブラインが循環する第２の熱搬送媒体回路の２つの熱搬送媒体回路と、冷房運転と暖房運転とを切替えて行う空調用冷媒回路と、を備えた空気調和装置であって、前記第１の熱搬送媒体回路を構成する配管のうちの前記第１の室内熱交換器を流れた水またはブラインが戻る配管の部分と、前記第２の熱搬送媒体回路を構成する配管のうちの前記第２の室内熱交換器から水またはブラインが戻る配管の部分とを１つの共通配管とし、前記共通配管に、水またはブラインを前記第１の熱搬送媒体回路および前記第２の熱搬送媒体回路に同時に循環させることが可能な熱搬送媒体循環ポンプを組み込み、前記空調用冷媒回路は、空調用圧縮機、空調用流路切替弁、空調用熱源側の熱搬送媒体と熱交換を行うための空調用熱源側熱交換器、第１の空調用膨張弁、前記第１の利用側熱交換器を順次冷媒配管で接続して環状に形成された空調用冷媒メイン回路を備え、
前記空調用冷媒メイン回路に、前記第１の利用側熱交換器をバイパスする空調用冷媒分岐路を設け、前記第１の利用側熱交換器と並列に接続されるように、前記空調用冷媒分岐路に前記第２の利用側熱交換器を設け、前記第１の利用側熱交換器と前記第２の利用側熱交換器とが直列に接続されるように、前記空調用冷媒メイン回路と前記空調用冷媒分岐路とを空調用バイパス配管で接続し、前記空調用冷媒回路に、第１の利用側熱交換器と前記第２の利用側熱交換器との接続を直列と並列とに切替えるための接続切替手段を設け、前記接続切替手段により前記第１の利用側熱交換器と前記第２の利用側熱交換器とが直列に接続された状態における前記空調用冷媒回路の前記第１の利用側熱交換器と前記第２の利用側熱交換器との間の位置に、第２の空調用膨張弁を設けたことを特徴としている。
【０００８】
本発明によれば、第１の熱搬送媒体回路を構成する配管の一部に、第２の熱搬送媒体回路を構成する配管の一部と共通で用いられる共通配管を組み込み、その共通配管に熱搬送媒体循環ポンプを組み込む構成としたので、配管および熱搬送媒体循環ポンプの数を削減することができる。よって、本発明は設備コストを軽減することができる。また、本発明は、２温度の熱搬送媒体を１つの熱搬送媒体循環ポンプで循環させることができるため、制御が簡単になる。【０００９】
また、本発明によれば、第２の空調用膨張弁を設けているため、例えば冷房運転においては、第１の空調用膨張弁で空調用冷媒の減圧量・流量を制御し、第２の空調用膨張弁を全開にすることによって、空調用熱源側熱交換器を凝縮器として作用させ、第１の利用側熱交換器および第２の利用側熱交換器を共に蒸発器として作用させる事ができる。
【００１０】
また、本発明によれば、暖房運転においては、第１の空調用膨張弁で空調用冷媒の減圧量・流量を制御し、第２の空調用膨張弁を全開にすることによって、第１の利用側熱交換器および第２の利用側熱交換器を共に凝縮器として作用させ、空調用熱源側熱交換器を蒸発器として作用させることができる。
【００１１】
また、本発明によれば、除湿運転において、第１の空調用膨張弁を全開にし、第２の空調用膨張弁を制御する事によって、次のような運転を行うことができる。例えば、冷却・除湿負荷が比較的高い場合には、空調用流路切替弁を冷房側に切替えて、空調用熱源側熱交換器を凝縮器として作用させる。この際、空調用熱源側熱交換器で放熱する放熱量は、冷却・除湿後の空気を再加熱する再加熱量に対応した放熱量になるように、室外ファンを制御する。空調用熱源側熱交換器を通過した空調用冷媒は、第１の利用側熱交換器を凝縮器として作用させることにより、水またはブライン（熱搬送媒体）へ熱を放熱する。その後、空調用冷媒は、空調用バイパス配管を通過し、第２の空調用膨張弁を通過して減圧・膨張する。第２の空調用膨張弁を通過した空調用冷媒は、第２の利用側熱交換器で水またはブライン（熱搬送媒体）から熱を吸熱し、空調用流路切替弁を通って空調用圧縮機へと還流する。このような除湿運転が、本発明では可能である。
【００１２】
このように、本発明によれば、１つの冷凍サイクルで冷房、暖房、冷房除湿の３つのモードの運転ができる。また、本発明は、第１の利用側熱交換器および第２の利用側熱交換器を効率良く使用する事ができるため、省エネ性にも優れている。
【００１３】
また、本発明は、第１の空調用膨張弁に対して第１の利用側熱交換器および第２の利用側熱交換器を並列に接続させる事が可能なため、それぞれの利用側熱交換器へ流入する空調用冷媒の温度（アプローチ温度）を同一に保つ事ができる。このため、第１の利用側熱交換器および第２の利用側熱交換器を流れる空調用冷媒と水またはブライン（熱搬送媒体）との間で同一の温度差で熱交換を行う事ができる。よって、本発明によれば、熱交換効率を良くする事ができる。
【００１４】
また、本発明に係る空気調和装置は、上記構成において、前記第１の熱搬送媒体回路または前記第２の熱搬送媒体回路に、水またはブラインの流量を制御する熱搬送媒体用流量制御弁を設けたことを特徴としている。
【００１５】
本発明によれば、熱搬送媒体用流量制御弁を第１の熱搬送媒体回路または第２の熱搬送媒体回路の何れかに設けているので、設備コストを軽減することができ、制御も簡単である。そのうえ、熱搬送媒体用流量制御弁の有無で第１と第２の熱搬送媒体回路の区別ができるため、本発明は、配管工事において作業ミスが生じ難いといった利点もある。
【００１６】
なお、上記構成において、第１の室内熱交換器および第２の室内熱交換器の出入口（室内ユニットの出入口）に温度センサ及び湿度センサを設けておくことが望ましい。何故なら、除湿運転時には、冷却・除湿量に基づいて熱搬送媒体循環ポンプの総輸送量を確定し、出入口の温度センサの検出値に基づいた再加熱量に応じて熱搬送媒体用流量制御弁を制御すれば、除湿量の制御を簡単に行うことができるからである。
【００１７】
また、本発明に係る空気調和装置は、上記構成において、前記第１の室内熱交換器と前記第２の室内熱交換器との位置関係は、前記第１の室内熱交換器と前記第２の室内熱交換器に流入する空気の流れ方向に対して平行であることを特徴としている。
【００１８】
本発明によれば、第１の室内熱交換器と第２の室内熱交換器が空気流れに対して平行に配置されているため、それぞれの室内熱交換器へ流入する空気の温度（アプローチ温度）を同一に保つ事ができる。このため、第１の室内熱交換器および第２の室内熱交換器を流れる空気と熱搬送媒体（水またはブライン）との間で同一の温度差で熱交換を行う事ができる。よって、本発明に係る空気調和装置によれば、熱交換効率を良くする事ができる。
【００１９】
また、本発明に係る空気調和装置は、上記構成において、前記第１の室内熱交換器は、前記第２の室内熱交換器より鉛直方向の上方に位置することを特徴としている。
【００２０】
本発明によれば、除湿運転時に第２の室内熱交換器（冷水コイル）で発生したドレン水が滴下しても、第１の室内熱交換器（温水コイル）は第２の室内熱交換器（冷水コイル）より上方に位置しているので、ドレン水が第１の室内熱交換器（温水コイル）に流入することがない。このため、本発明では、除湿によるドレン水が第１の室内熱交換器（温水コイル）によって再蒸発するといった問題も生じない。
【００２１】
また、本発明に係る空気調和装置は、上記構成において、前記第１の熱搬送媒体回路および前記第２の熱搬送媒体回路を構成する配管のうち、前記共通配管の内径をｄｉＲとし、それ以外の配管の内径をｄｉＣとしたときに、ｄｉＣをｄｉＲで除した値（即ち、ｄｉＣ／ｄｉＲ）が０．５以上かつ０．８以下であることを特徴としている。
【００２２】
本発明によれば、共通配管の内径とそれ以外の配管の内径を上記した構成としているので、共通配管での圧力損失の増加を抑えることができ、熱搬送媒体循環ポンプの動力の増加を抑えることができる。
【００２３】
また、上記した課題を解決するために、本発明に係る空気調和装置は、被冷却空間に設置された第１の室内熱交換器と室外に設置された第１の利用側熱交換器とを配管で接続して環状に形成され、水またはブラインが循環する第１の熱搬送媒体回路、および前記被冷却空間に設置された第２の室内熱交換器と室外に設置された第２の利用側熱交換器とを配管で接続して環状に形成され、水またはブラインが循環する第２の熱搬送媒体回路の２つの熱搬送媒体回路と、冷房運転と暖房運転とを切替えて行う空調用冷媒回路と、を備えた空気調和装置であって、前記第１の熱搬送媒体回路を構成する配管の一部に、前記第２の熱搬送媒体回路を構成する配管の一部と共通で用いられる共通配管を組み込み、前記共通配管に、水またはブラインを前記第１の熱搬送媒体回路および前記第２の熱搬送媒体回路に同時に循環させることが可能な熱搬送媒体循環ポンプを組み込み、前記空調用冷媒回路は、空調用圧縮機、空調用流路切替弁、空調用熱源側の熱搬送媒体と熱交換を行うための空調用熱源側熱交換器、第１の空調用膨張弁、前記第１の利用側熱交換器を順次冷媒配管で接続して環状に形成された空調用冷媒メイン回路を備え、前記空調用冷媒メイン回路に、前記第１の利用側熱交換器をバイパスする空調用冷媒分岐路を設け、前記第１の利用側熱交換器と並列に接続されるように、前記空調用冷媒分岐路に前記第２の利用側熱交換器を設け、前記第１の利用側熱交換器と前記第２の利用側熱交換器とが直列に接続されるように、前記空調用冷媒メイン回路と前記空調用冷媒分岐路とを空調用バイパス配管で接続し、前記空調用冷媒回路に、第１の利用側熱交換器と前記第２の利用側熱交換器との接続を直列と並列とに切替えるための接続切替手段を設け、前記接続切替手段により前記第１の利用側熱交換器と前記第２の利用側熱交換器とが直列に接続された状態における前記空調用冷媒回路の前記第１の利用側熱交換器と前記第２の利用側熱交換器との間の位置に、第２の空調用膨張弁を設けたことを特徴としている。
【発明の効果】
【００２７】
本発明に係る空気調和装置は、設備コストを増大させることなく、１つの冷凍サイクルで除湿運転を行うことができる。しかも、本発明に係る空気調和装置は、運転の制御が簡単であるうえ、熱交換効率が向上し、消費電力の低減および省エネ性の向上を実現できる。
【図面の簡単な説明】
【００２８】
【図１】本発明の第１の実施の形態例に係る空気調和装置の系統図である。
【図２】図１に示す空気調和装置の運転モードＮｏ．１における冷媒と熱搬送媒体の流れを示す動作図である。
【図３】図１に示す空気調和装置の運転モードＮｏ．２における冷媒と熱搬送媒体の流れを示す動作図である。
【図４】図１に示す空気調和装置の運転モードＮｏ．３における冷媒と熱搬送媒体の流れを示す動作図である。
【図５】図１に示す空気調和装置の運転モードＮｏ．１〜Ｎｏ．３における各機器の状態を説明するための図である。
【図６】本発明の第２の実施の形態例に係る空気調和装置の系統図である。
【図７】図６に示す空気調和装置の運転モードＮｏ．Ａにおける冷媒と熱搬送媒体の流れを示す動作図である。
【図８】図６に示す空気調和装置の運転モードＮｏ．Ｂにおける冷媒と熱搬送媒体の流れを示す動作図である。
【図９】図６に示す空気調和装置の運転モードＮｏ．Ｃにおける冷媒と熱搬送媒体の流れを示す動作図である。
【図１０】図６に示す空気調和装置の運転モードＮｏ．Ｄにおける冷媒と熱搬送媒体の流れを示す動作図である。
【発明を実施するための形態】
【００２９】
まず、本発明の第１の実施の形態例に係る空気調和装置の構成について、図１を参照しながら説明する。
【００３０】
本発明の第１の実施の形態例に係る空気調和装置は、図１に示すように、冷房運転と暖房運転とを切り替えて行う空調用冷媒回路５と、住宅（被冷却空間）６０の室内の空調を行う空調用冷温水循環回路８とを備えた室外ユニット１と、第１の室内熱交換器６１ａ、第２の室内熱交換器６１ｂ、および室内ファン６２を備えた室内ユニット２を備えている。室外ユニット１は室外に設置され、室内ユニット２は住宅６０内に設置される。
【００３１】
空調用冷媒回路５は、空調用冷媒が循環する回路であり、空調用冷媒を圧縮する空調用圧縮機２１、空調用冷媒の流路を切り替える四方弁（空調用流路切替弁）２２、ファン２５により送られてくる大気と熱交換を行う空調用熱源側熱交換器２４、空調用冷媒を減圧する第１の空調用膨張弁２７ａおよび第２の空調用膨張弁２７ｂ、空調用冷温水循環回路８と熱交換を行う第１の空調用利用側熱交換器（第１の利用側熱交換器）２８ａおよび第２の空調用利用側熱交換器（第２の利用側熱交換器）２８ｂを冷媒配管で接続して環状に形成されている。この空調用冷媒回路５によって空調用の冷凍サイクル（空調サイクル）が形成されている。
【００３２】
空調用圧縮機２１は、容量制御が可能な可変容量型圧縮機である。このような圧縮機としては、ピストン式、ロータリー式、スクロール式、スクリュー式、遠心式のものを採用可能である。具体的には、空調用圧縮機２１は、スクロール式の圧縮機であり、インバータ制御により容量制御が可能で、低速から高速まで回転速度が可変である。
【００３３】
続いて、空調用冷媒回路５の構成の詳細について説明する。空調用冷媒回路５は、まず、空調用圧縮機２１の吐出口２１ｂ、四方弁２２、空調用熱源側熱交換器２４、第１の空調用膨張弁２７ａ、第１の空調利用側熱交換器２８ａ、四方弁２２、空調圧縮機２１の吸込口２１ａの順に冷媒配管で接続して環状に形成された空調用冷媒メイン回路５ａを備えている。
【００３４】
空調用冷媒回路５は、この空調用冷媒メイン回路５ａに後述する第１の空調用冷媒分岐路５ｂおよび空調用バイパス配管２９が設けられて構成されている。
【００３５】
第１の空調用冷媒分岐路５ｂは、第１の空調利用側熱交換器２８ａをバイパスする空調用冷媒分岐路であり、具体的には、第１の空調利用側熱交換器２８ａと第１の空調用膨張弁２７ａとの間の位置にある分岐点Ａと、第１の空調利用側熱交換器２８ａと四方弁２２との間の位置にある分岐点Ｂとを冷媒配管で接続して形成された空調用冷媒分岐路である。この第１の空調用冷媒分岐路５ｂには、第２の空調利用側熱交換器２８ｂが設けられていると共に、分岐点Ａに三方弁３４ａが設けられている。
【００３６】
さらに、空調用冷媒メイン回路５ａにおいて第１の空調利用側熱交換器２８ａと分岐点Ｂの間に形成された分岐点Ｃには、三方弁３４ｂが設けられている。そして、空調用冷媒メイン回路５ａの分岐点Ｃと第１の空調用冷媒分岐路５ｂのうち第２の空調利用側熱交換器２８ｂと分岐点Ａの間の位置にある分岐点Ｄとは、空調用バイパス配管２９で接続されている。
【００３７】
よって、第１の空調利用側熱交換器２８ａと第２の空調利用側熱交換器２８ｂとは、第１の空調用膨張弁２７ａおよび四方弁２２に対して互いに並列に接続されているだけでなく、空調用バイパス配管２９を介して互いに直列に接続されることになる。
【００３８】
さらに、第１の空調利用側熱交換器２８ａと第２の空調利用側熱交換器２８ｂとが直列に接続されている状態において、第１の空調利用側熱交換器２８ａと第２の空調利用側熱交換器２８ｂとの間の位置には、第２の空調用膨張弁２７ｂが設けられている。より具体的に言うと、空調用バイパス配管２９が第１の空調用冷媒分岐路５ｂと接続する位置（即ち、分岐点Ｄ）と第２の空調利用側熱交換器２８ｂとの間の位置に、第２の空調用膨張弁２７ｂは組み込まれているのである。
【００３９】
このように構成された空調用冷媒回路５によれば、三方弁３４ａおよび三方弁３４ｂを操作することにより、第１の空調利用側熱交換器２８ａと第２の空調利用側熱交換器２８ｂとの接続が直列と並列との何れかに切り替わる。よって、空調用冷媒の流路として、空調用冷媒が第１の空調利用側熱交換器２８ａと第２の空調利用側熱交換器２８ｂとの双方に分かれて流れていく流路と、空調用冷媒が第１の空調利用側熱交換器２８ａと第２の空調利用側熱交換器２８ｂの一方から他方へ順に流れていく流路との２つの流路が形成される。ここで、この実施の形態例における三方弁３４ａおよび三方弁３４ｂが、本発明の接続切替手段に相当する。
【００４０】
なお、空調用冷媒回路５を循環する空調用冷媒としては、例えば、Ｒ４１０ａ、Ｒ１３４ａ、ＨＦＯ１２３４ｙｆ、ＨＦＯ１２３４ｚｅ、ＣＯ２、Ｃ３Ｈ８を用いることができる。
【００４１】
次に、空調用冷温水循環回路８は、第１の室内熱交換器６１ａと第１の空調利用側熱交換器２８ａとを配管で接続して環状に形成された第１の空調用冷温水回路（第１の熱搬送媒体回路）８ａと、第２の室内熱交換器６１ｂと第２の空調利用側熱交換器２８ｂとを配管で接続して環状に形成された第２の空調用冷温水回路（第２の熱搬送媒体回路）８ｂとを有している。なお、第１の空調用冷温水回路８ａおよび第２の空調用冷温水回路８ｂを流れる熱搬送媒体は水（冷水または温水）であるが、寒冷地で使用されるような場合には、水に代えてエチレングリコール等のブラインを用いても良い。
【００４２】
なお、以下の説明において、空調用冷温水循環回路８（第１の空調用冷温水回路８ａおよび第２の空調用冷温水回路８ｂ）を流れる水として「冷水」または「温水」という言葉が用いられることがあるが、「冷水」とは冷房時に空調用冷温水循環回路８を流れる水の意味で用いられ、「温水」とは暖房時に空調用冷温水循環回路８を流れる水の意味で用いられていることを、ここで付言しておく。
【００４３】
第１の空調用冷温水回路８ａは、住宅６０に設置された第１の室内熱交換器６１ａ、空調用冷温水循環ポンプ（熱搬送媒体循環ポンプ）６７、流量制御弁（熱搬送媒体用流量制御弁）６３、第１の空調利用側熱交換器（第１の利用側熱交換器）２８ａを空調用冷温水配管６５ａ〜６５ｄで順次接続して環状に形成された回路である。より詳細に説明すると、第１の空調用冷温水回路８ａは、第１の室内熱交換器６１ａから第１の空調用利用側熱交換器２８ａまでの水の往路を空調用冷温水配管６５ａ、６５ｂ、６５ｃの順で接続して形成し、第１の空調用利用側熱交換器２８ａから第１の室内熱交換器６１ａまでの水の復路を空調用冷温水配管６５ｄで接続して形成している。ここで、空調用冷温水配管６５ｂは、第２の空調用冷温水回路８ｂを構成する空調用冷温水配管の一部としても用いられる共通配管である。その空調用冷温水配管６５ｂに、空調用冷温水循環ポンプ６７は組み込まれている。なお、流量制御弁６３は、第１の空調用冷温水回路８ａの空調用冷温水配管６５ｃに設けられている。この流量制御弁６３の弁開度を調整することにより、第１の空調用冷温水回路８ａおよび第２の空調用冷温水回路８ｂに流す水の流量を調整することができるようになっている。
【００４４】
このように構成された第１の空調用冷温水回路８ａによれば、空調用冷温水循環ポンプ６７により送り出された水は、流量制御弁６３を通り、第１の空調利用側熱交換器２８ａを流れ、続いて第１の室内熱交換器６１ａを流れた後、空調用冷温水配管（共通配管）６５ｂを通って再び空調用冷温水循環ポンプ６７へと戻ってくる。
【００４５】
一方、第２の空調用冷温水回路８ｂは、住宅６０に設置された第２の室内熱交換器６１ｂ、空調用冷温水循環ポンプ６７、第２の空調利用側熱交換器２８ｂを空調用冷温水配管６８ａ、６８ｃ、６８ｄおよび空調用冷温水配管６５ｂで順次接続して環状に形成された回路である。より詳細に説明すると、第２の空調用冷温水回路８ｂは、第２の室内熱交換器６１ｂから第２の空調用利用側熱交換器２８ｂまでの水の往路を空調用冷温水配管６８ａ、６５ｂ、６８ｃの順で接続して形成し、第２の空調用利用側熱交換器２８ｂから第２の室内熱交換器６１ｂまでの水の復路を空調用冷温水配管６８ｄで接続して形成している。
【００４６】
このように構成された第２の空調用冷温水回路８ｂによれば、空調用冷温水循環ポンプ６７により送り出された水は、第２の空調利用側熱交換器２８ｂを流れ、次に第２の室内熱交換器６１ｂを流れた後、空調用冷温水配管（共通配管）６５ｂを通って再び空調用冷温水循環ポンプ６７へと戻ってくる。
【００４７】
また、空調用冷温水配管６５ｂの内径（ｄｉＲ）は、その他の空調用冷温水配管６５ａ、６５ｃ、６５ｄ、６８ａ、６８ｃ、６８ｄの内径（ｄｉＣ）よりも大きいものとなっており、具体的には、０．５≦ｄｉＣ／ｄｉＲ≦０．８の関係を満たすものとなっている。この構成により、空調用冷温水配管６５ｂにおいて水の圧力損失の増加は殆どない。よって、空調用冷温水循環ポンプ６７の動力の増加は抑えられているのである。
【００４８】
また、第１の室内熱交換器６１ａと第２の室内熱交換器６１ｂとは、室内ファン６２の空気の流れ方向（図１の矢印ＦＤの方向）に対して平行に配置されている。さらに、第１の室内熱交換器６１ａは、第２の室内熱交換器６１ｂよりも鉛直方向の上方に配置されている。
【００４９】
なお、空調用冷媒回路５および空調用冷温水循環回路８には、図示しないが、温度センサや流量センサが適宜設けられている。そして、これらの温度センサや流量センサの検出信号は、空気調和装置に設けられた制御装置１ａに取り込まれている。この制御装置１ａは、図示しないリモコンの操作信号と、各温度センサおよび流量センサの信号とを入力し、これらの信号に基づいて、各回路５、８に組み込まれた各種機器（圧縮機、ポンプ、ファン、膨張弁、制御弁、四方弁、三方弁など）の動作を制御する。
【００５０】
続いて、上記した空気調和装置によって行われる各種運転モードについて、図２〜図５を参照しながら説明する。ここで、図２〜図４において、各熱交換器に付された矢印は熱の流れを示しており、空調用冷媒回路５および空調用冷温水循環回路８に付された矢印は、流体が各回路を流れる向きを示している。また、図２〜図４において、白色の三方弁は、３つのポート全てが開状態であることを示しており、３つのポートのうち２つが白色で残り１つが黒色の三方弁は、白色のポートが開状態、黒色のポートが閉状態であることを示している。また、図２〜図４において、四方弁に描かれた円弧状の実線は、四方弁を流れる流体の流路を示している。図中、白抜きの矢印は、熱の流れ方向を示している。
【００５１】
「運転モードＮｏ．１＜冷房運転＞」（図２参照）
運転モードＮｏ．１は、冷房運転を行うモードである。この運転モードＮｏ．１では、図５の「運転モードＮｏ．１」の欄に示すように、空調用熱源側熱交換器２４が凝縮器として使用され、第１の空調利用側熱交換器２８ａおよび第２の空調利用側熱交換器２８ｂは蒸発器として使用される。この運転モードＮｏ．１では、第１の空調利用側熱交換器２８ａと第２の空調利用側熱交換器２８ｂとは、三方弁３４ａおよび三方弁３４ｂにより、並列に接続された状態となっている。なお、この運転モードＮｏ．１では、第１の空調用膨張弁２７ａは所定の弁開度に制御され、第２の空調用膨張弁２７ｂは全開となっている。
【００５２】
空調用冷媒回路５では、空調用圧縮機２１の吐出口２１ｂより吐出された高温高圧のガス冷媒は、四方弁２２を通って、空調用熱源側熱交換器２４に流入する。空調用熱源側熱交換器２４に流入した高温高圧のガス冷媒は、大気へ放熱して凝縮し、液化する。そして、空調用熱源側熱交換器２４から流れ出た高圧の液冷媒は、第１の空調用膨張弁２７ａで住宅６０内の冷却・除湿負荷に応じた蒸発圧力になるように減圧され、低温低圧の気液二相冷媒となる。その気液二相冷媒は、三方弁３４ａを通って、第１の空調利用側熱交換器２８ａおよび第２の空調利用側熱交換器２８ｂへとそれぞれ分かれて流入する。第１の空調利用側熱交換器２８ａを流れる気液二相冷媒は、第１の空調用冷温水回路８ａを流れる冷水から吸熱して蒸発し、低圧のガス冷媒となる。同様に、第２の空調利用側熱交換器２８ｂを流れる気液二相冷媒は、第２の空調用冷温水回路８ｂを流れる冷水から吸熱して蒸発し、低圧のガス冷媒となる。第１の空調利用側熱交換器２８ａから流れ出たガス冷媒と第２の空調利用側熱交換器２８ｂから流れ出たガス冷媒は、分岐点Ｂで合流した後に、四方弁２２を通って空調用圧縮機２１の吸込口２１ａに流入し、空調用圧縮機２１により再び圧縮されて高温高圧のガス冷媒となる。
【００５３】
第１の空調用冷温水回路８ａでは、空調用冷温水循環ポンプ６７を駆動することにより、第１の空調利用側熱交換器２８ａを流れる空調用冷媒に放熱した冷水は、空調用冷温水配管６５ｄを流れた後に、第１の室内熱交換器６１ａに流入する。第１の室内熱交換器６１ａでは、第１の空調用冷温水回路８ａ内の冷水と、住宅６０内の高温の空気とで熱交換が行われ、住宅６０の空気が冷却・除湿される。つまり、第１の室内熱交換器６１ａは冷却・除湿器（冷水コイル）として使用されるのである。このとき、第１の室内熱交換器６１ａを流れる冷水は、住宅６０内の空気から吸熱して昇温される。この昇温された冷水は、第２の空調用冷温水回路８ｂと共通で用いられる空調用冷温水配管６５ｂを流れて空調用冷温水循環ポンプ６７へと戻り、再び、第１の空調利用側熱交換器２８ａにて空調用冷媒へと放熱して冷却される。
【００５４】
第２の空調用冷温水回路８ｂでは、空調用冷温水循環ポンプ６７を駆動することにより、第２の空調利用側熱交換器２８ｂを流れる空調用冷媒に放熱した冷水は、空調用冷温水配管６８ｄを流れた後に、第２の室内熱交換器６１ｂに流入する。第２の室内熱交換器６１ｂでは、第２の空調用冷温水回路８ｂ内の冷水と、住宅６０内の高温の空気とで熱交換が行われ、住宅６０の空気が冷却・除湿される。つまり、第２の室内熱交換器６１ｂは冷却・除湿器（冷水コイル）として使用されるのである。このとき、第２の室内熱交換器６１ｂを流れる冷水は、住宅６０内の空気から吸熱して昇温される。この昇温された冷水は、第１の空調用冷温水回路８ａと共通で用いられる空調用冷温水配管６５ｂを流れて空調用冷温水循環ポンプ６７へと戻り、再び、第２の空調利用側熱交換器２８ｂにて空調用冷媒へと放熱して冷却される。
【００５５】
この運転モードＮｏ．１では、空調用冷媒は、第１の空調利用側熱交換器２８ａと第２の空調利用側熱交換器２８ｂとに同一のアプローチ温度で流入するため、第１の空調利用側熱交換器２８ａおよび第２の空調利用側熱交換器２８ｂは、共に空調用冷媒と冷水の温度差が同じ条件下で熱交換を行うことができる。さらに、第１の室内熱交換器６１ａと第２の室内熱交換器６１ｂが室内ファン６２の空気流れに対して平行に配置されているため、それぞれの室内熱交換器へ流入する空気の温度（アプローチ温度）を同一に保つ事ができる。このため、第１の室内熱交換器６１ａおよび第２の室内熱交換器６１ｂを流れる空気と冷水との間で同一の温度差で熱交換を行う事ができる。よって、運転モードＮｏ．１によれば、熱交換効率が良くなるといった利点がある。
【００５６】
「運転モードＮｏ．２＜暖房運転＞」（図３参照）
運転モードＮｏ．２は、暖房運転を行うモードである。この運転モードＮｏ．２では、図５の「運転モードＮｏ．２」の欄に示すように、空調用熱源側熱交換器２４が蒸発器として使用され、第１の空調利用側熱交換器２８ａおよび第２の空調利用側熱交換器２８ｂは凝縮器として使用される。この運転モードＮｏ．２では、第１の空調利用側熱交換器２８ａと第２の空調利用側熱交換器２８ｂとは、三方弁３４ａおよび三方弁３４ｂにより、並列に接続された状態となっている。なお、この運転モードＮｏ．２では、第１の空調用膨張弁２７ａは所定の弁開度に制御され、第２の空調用膨張弁２７ｂは全開となっている。
【００５７】
空調用冷媒回路５では、空調用圧縮機２１の吐出口２１ｂより吐出された高温高圧のガス冷媒は、四方弁２２を通って、分岐点Ｂから第１の空調利用側熱交換器２８ａおよび第２の空調利用側熱交換器２８ｂへとそれぞれ分かれて流入する。第１の空調利用側熱交換器２８ａを流れる高温高圧のガス冷媒は、第１の空調用冷温水回路８ａを流れる温水へ放熱して凝縮し、液化する。同様に、第２の空調利用側熱交換器２８ｂを流れる高温高圧のガス冷媒は、第２の空調用冷温水回路８ｂを流れる温水へ放熱して凝縮し、液化する。そして、第１の空調利用側熱交換器２８ａから流れ出た液冷媒と第２の空調利用側熱交換器２８ｂから流れ出た液冷媒は、分岐点Ａで合流した後に第１の空調用膨張弁２７ａで室外空気温度に応じた蒸発圧力になるように減圧され、低温低圧の気液二相冷媒となって空調用熱源側熱交換器２４に流入する。空調用熱源側熱交換器２４に流入した気液二相冷媒は、大気から吸熱して蒸発し、低圧のガス冷媒となる。そして、その低圧のガス冷媒は、四方弁２２を通って空調用圧縮機２１の吸込口２１ａに流入し、空調用圧縮機２１により再び圧縮されて高温高圧のガス冷媒となる。
【００５８】
第１の空調用冷温水回路８ａでは、空調用冷温水循環ポンプ６７を駆動することにより、第１の空調利用側熱交換器２８ａを流れる空調用冷媒から吸熱した温水は、空調用冷温水配管６５ｄを流れた後に、第１の室内熱交換器６１ａに流入する。第１の室内熱交換器６１ａでは、第１の空調用冷温水回路８ａ内の温水と、住宅６０内の低温の空気とで熱交換が行われ、住宅６０の空気が加熱される。つまり、第１の室内熱交換器６１ａは加熱器（温水コイル）として使用されるのである。このとき、第１の室内熱交換器６１ａを流れる温水は、住宅６０内の空気へ放熱して冷却される。この冷却された温水は、第２の空調用冷温水回路８ｂと共通で用いられる空調用冷温水配管６５ｂを流れて空調用冷温水循環ポンプ６７へと戻り、再び、第１の空調利用側熱交換器２８ａにて空調用冷媒から吸熱して昇温される。
【００５９】
第２の空調用冷温水回路８ｂでは、空調用冷温水循環ポンプ６７を駆動することにより、第２の空調利用側熱交換器２８ｂを流れる空調用冷媒から吸熱した温水は、空調用冷温水配管６８ｄを流れた後に、第２の室内熱交換器６１ｂに流入する。第２の室内熱交換器６１ｂでは、第２の空調用冷温水回路８ｂ内の温水と、住宅６０内の低温の空気とで熱交換が行われ、住宅６０の空気が加熱される。つまり、第２の室内熱交換器６１ｂは加熱器（温水コイル）として使用されるのである。このとき、第２の室内熱交換器６１ｂを流れる温水は、住宅６０内の空気へ放熱して冷却される。この冷却された温水は、第１の空調用冷温水回路８ａと共通で用いられる空調用冷温水配管６５ｂを流れて空調用冷温水循環ポンプ６７へと戻り、再び、第２の空調利用側熱交換器２８ｂにて空調用冷媒から吸熱して昇温される。
【００６０】
この運転モードＮｏ．２では、空調用冷媒は、第１の空調利用側熱交換器２８ａと第２の空調利用側熱交換器２８ｂとに同一のアプローチ温度で流入するため、第１の空調利用側熱交換器２８ａおよび第２の空調利用側熱交換器２８ｂは、共に空調用冷媒と温水の温度差が同じ条件下で熱交換を行うことができる。さらに、第１の室内熱交換器６１ａと第２の室内熱交換器６１ｂが室内ファン６２の空気流れに対して平行に配置されているため、それぞれの室内熱交換器へ流入する空気の温度（アプローチ温度）を同一に保つ事ができる。このため、第１の室内熱交換器６１ａおよび第２の室内熱交換器６１ｂを流れる空気と温水との間で同一の温度差で熱交換を行う事ができる。よって、運転モードＮｏ．２によれば、熱交換効率が良くなるといった利点がある。
【００６１】
「運転モードＮｏ．３＜冷房・除湿運転＞」（図４参照）
運転モードＮｏ．３は、冷房・除湿運転を行うモードである。この運転モードＮｏ．３では、図５の「運転モードＮｏ．３」の欄に示すように、空調用熱源側熱交換器２４および第１の空調利用側熱交換器２８ａは凝縮器として使用され、第２の空調利用側熱交換器２８ｂは蒸発器として使用される。この運転モードＮｏ．３では、第１の空調利用側熱交換器２８ａと第２の空調利用側熱交換器２８ｂとは、三方弁３４ａおよび三方弁３４ｂにより、直列に接続された状態となっている。なお、この運転モードＮｏ．３では、第１の空調用膨張弁２７ａは全開となっており、第２の空調用膨張弁２７ｂは所定の弁開度に制御されている。
【００６２】
空調用冷媒回路５では、空調用圧縮機２１の吐出口２１ｂより吐出された高温高圧のガス冷媒は、四方弁２２を通って、空調用熱源側熱交換器２４に流入する。空調用熱源側熱交換器２４に流入した高温高圧のガス冷媒は、大気へ放熱し、さらに、第１の空調利用側熱交換器２８ａにて第１の空調用冷温水回路８ａを流れる冷水へ放熱することにより、凝縮して液化する。このとき、ファン２５の回転数は、除湿運転時の再加熱量（第１の室内熱交換器６１ａで行われる熱交換量）に応じた放熱量となるように制御されている。そして、液化した低温の空調用冷媒は、空調用バイパス配管２９を流れていき、第２の空調用膨張弁２７ｂにて冷却・除湿量に応じた蒸発圧力になるように減圧、膨張して気液二相冷媒となる。その気液二相冷媒は、第２の空調利用側熱交換器２８ｂにて第２の空調用冷温水回路８ｂを流れる冷水から吸熱して蒸発し、低圧のガス冷媒となる。そして、その低圧のガス冷媒は、四方弁２２を通って空調用圧縮機２１の吸込口２１ａに流入し、空調用圧縮機２１により再び圧縮されて高温高圧のガス冷媒となる。
【００６３】
第１の空調用冷温水回路８ａでは、空調用冷温水循環ポンプ６７を駆動することにより、第１の空調利用側熱交換器２８ａを流れる空調用冷媒から吸熱した冷水は、空調用冷温水配管６５ｄを流れた後に、第１の室内熱交換器６１ａに流入する。第１の室内熱交換器６１ａでは、第１の空調用冷温水回路８ａ内の冷水に蓄えられた温熱により第１の室内熱交換器６１ａへ流入した空気を再加熱する。つまり、第１の室内熱交換器６１ａは再加熱器（温水コイル）として使用されるのである。このとき、第１の室内熱交換器６１ａを流れる冷水は、住宅６０内の空気へ放熱して冷却される。この冷却された冷水は、第２の空調用冷温水回路８ｂと共通で用いられる空調用冷温水配管６５ｂを流れて空調用冷温水循環ポンプ６７へと戻り、再び、第１の空調利用側熱交換器２８ａにて空調用冷媒から吸熱して昇温される。
【００６４】
第２の空調用冷温水回路８ｂでは、空調用冷温水循環ポンプ６７を駆動することにより、第２の空調利用側熱交換器２８ｂを流れる空調用冷媒に放熱した冷水は、空調用冷温水配管６８ｄを流れた後に、第２の室内熱交換器６１ｂに流入する。第２の室内熱交換器６１ｂでは、第２の空調用冷温水回路８ｂ内の冷水と、住宅６０内の高温の空気とで熱交換が行われ、住宅６０の空気が冷却・除湿される。つまり、第２の室内熱交換器６１ｂは、冷却・除湿器（冷水コイル）として使用されるのである。このとき、第２の室内熱交換器６１ｂを流れる冷水は、住宅６０内の空気から吸熱して昇温される。この昇温された冷水は、第１の空調用冷温水回路８ａと共通で用いられる空調用冷温水配管６５ｂを流れて空調用冷温水循環ポンプ６７へと戻り、再び、第２の空調利用側熱交換器２８ｂにて空調用冷媒へと放熱して冷却される。
【００６５】
ここで、室内ユニット２では、第１の室内熱交換器６１ａにより再加熱された空気と、第２の室内熱交換器６１ｂにより冷却・除湿された空気とが室内ファン６２により撹拌されて、室内温度と同じ温度で除湿された空気となる。その空気は、室内ユニット２の図示しない吹出口から室内へと吹き出されていく。
【００６６】
この運転モードＮｏ．３によれば、冷却・除湿と再加熱を同時に行うことができるため、住宅６０の室内へ快適な空気を提供することができる。さらに、第１の室内熱交換器６１ａは、第２の室内熱交換器６１ｂよりも鉛直方向の上方に配置されているので、運転モードＮｏ．３の運転時に第２の室内熱交換器６１ｂで発生したドレン水が滴下しても、第１の室内熱交換器６１ａは第２の室内熱交換器６１ｂより上方に位置しているので、ドレン水が第１の室内熱交換器６１ａに流入することがない。このため、運転モードＮｏ．３を運転しても、除湿によるドレン水が第１の室内熱交換器６１ａによって再蒸発するといった問題は生じない。
【００６７】
次に、本発明の第２の実施の形態例に係る空気調和装置の構成について、図６を参照しながら説明する。
【００６８】
本発明の第２の実施の形態例に係る空気調和装置は、図６に示すように、室外に設置される室外ユニット１００および蓄熱タンクユニット１０３と、室内に設置される室内ユニット１０２を備えている。室外ユニット１００は、冷房運転と暖房運転とを切り替えて行う空調用冷媒回路１０５と、住宅（被冷却空間）１６０の室内の空調を行う空調用冷温水循環回路１０８とを有している。また、室内ユニット１０２は、第１の室内熱交換器１６１ａ、第２の室内熱交換器１６１ｂ、および室内ファン１６２を有している。また、蓄熱タンクユニット１０３は、太陽熱が循環する太陽熱循環回路１１０と、太陽熱で温められた水を住宅１６０へ供給するための出湯経路１１１を有している。
【００６９】
空調用冷媒回路５は、空調用冷媒が循環する回路であり、空調用冷媒を圧縮する空調用圧縮機１２１、空調用冷媒の流路を切り替える四方弁（空調用流路切替弁）１２２、ファン１２５により送られてくる大気と熱交換を行う空調用熱源側熱交換器１２４、空調用冷媒を減圧する空調用膨張弁（第１の空調用膨張弁）１２７ａ、空調用冷温水循環回路１０８と熱交換を行う空調用利用側熱交換器（第２の利用側熱交換器）１２８ｂを冷媒配管で順次接続して環状に形成されている。この空調用冷媒回路１０５によって空調用の冷凍サイクル（空調サイクル）が形成されている。
【００７０】
空調用圧縮機１２１は、容量制御が可能な可変容量型圧縮機である。このような圧縮機としては、ピストン式、ロータリー式、スクロール式、スクリュー式、遠心式のものを採用可能である。具体的には、空調用圧縮機１２１は、スクロール式の圧縮機であり、インバータ制御により容量制御が可能で、低速から高速まで回転速度が可変である。
【００７１】
なお、空調用冷媒回路１０５を循環する空調用冷媒としては、例えば、Ｒ４１０ａ、Ｒ１３４ａ、ＨＦＯ１２３４ｙｆ、ＨＦＯ１２３４ｚｅ、ＣＯ２、Ｃ３Ｈ８を用いることができる。
【００７２】
空調用冷温水循環回路１０８は、第１の室内熱交換器１６１ａと蓄熱タンク（第１の利用側熱交換器）１２８ａとを配管で接続して環状に形成された第１の空調用冷温水回路（第１の熱搬送媒体回路）１０８ａと、第２の室内熱交換器１６１ｂと空調利用側熱交換器１２８ｂとを配管で接続して環状に形成された第２の空調用冷温水回路（第２の熱搬送媒体回路）１０８ｂとを有している。なお、第１の空調用冷温水回路１０８ａおよび第２の空調用冷温水回路１０８ｂを流れる熱搬送媒体は水（冷水または温水）であるが、寒冷地で使用されるような場合には、水に代えてエチレングリコール等のブラインを用いても良い。
【００７３】
なお、以下の説明において、空調用冷温水循環回路１０８（第１の空調用冷温水回路１０８ａおよび第２の空調用冷温水回路１０８ｂ）を流れる水として「冷水」または「温水」という言葉が用いられることがあるが、「冷水」とは冷房時に空調用冷温水循環回路１０８を流れる水の意味で用いられ、「温水」とは暖房時に空調用冷温水循環回路１０８を流れる水の意味で用いられていることを、ここで付言しておく。
【００７４】
第１の空調用冷温水回路１０８ａは、住宅１６０に設置された第１の室内熱交換器１６１ａ、空調用冷温水循環ポンプ（熱搬送媒体循環ポンプ）１６７、流量制御弁（熱搬送媒体用流量制御弁）１６３、蓄熱タンク１２８ａを空調用冷温水配管１６５ａ〜１６５ｄで順次接続して環状に形成された回路である。より詳細に説明すると、第１の空調用冷温水回路１０８ａは、第１の室内熱交換器１６１ａから蓄熱タンク１２８ａでの水の往路を空調用冷温水配管１６５ａ、１６５ｂ、１６５ｃの順で接続して形成し、蓄熱タンク１２８ａから第１の室内熱交換器１６１ａまでの水の復路を空調用冷温水配管１６８ｄで接続して形成している。ここで、空調用冷温水配管１６５ｂは、第２の空調用冷温水回路１０８ｂを構成する空調用冷温水配管の一部としても用いられる共通配管である。その空調用冷温水配管（共通配管）１６５ｂに、空調用冷温水循環ポンプ１６７は組み込まれている。なお、流量制御弁１６３は、第１の空調用冷温水回路１０８ａの空調用冷温水配管１６５ｃに設けられている。この流量制御弁１６３の弁開度を調整することにより、第１の空調用冷温水回路１０８ａおよび第２の空調用冷温水回路１０８ｂに流す水の流量を調整することができるようになっている。
【００７５】
このように構成された第１の空調用冷温水回路１０８ａによれば、空調用冷温水循環ポンプ１６７により送り出された水は、流量制御弁１６３を通過し、蓄熱タンク１２８ａを流れ、次に第１の室内熱交換器１６１ａを流れた後、空調用冷温水配管１６５ｂを通って再び空調用冷温水循環ポンプ１６７へと戻ってくる。
【００７６】
一方、第２の空調用冷温水回路１０８ｂは、住宅１６０に設置された第２の室内熱交換器１６１ｂ、空調用冷温水循環ポンプ１６７、空調利用側熱交換器１２８ｂを空調用冷温水配管１６８ａ、１６５ｂ、１６８ｃ、１６８ｄで順次接続して環状に形成された回路である。より詳細に説明すると、第２の空調用冷温水回路１０８ｂは、第２の室内熱交換器１６１ｂから空調用利用側熱交換器１２８ｂまでの水の往路を空調用冷温水配管１６８ａ、１６５ｂ、１６８ｃの順で接続して形成し、空調用利用側熱交換器１２８ａから第２の室内熱交換器１６１ｂまでの水の復路を空調用冷温水配管１６８ｄで接続して形成している。
【００７７】
このように構成された第２の空調用冷温水回路１０８ｂによれば、空調用冷温水循環ポンプ１６７により送り出された水は、空調利用側熱交換器１２８ｂを流れ、次に第２の室内熱交換器１６１ｂを流れた後、空調用冷温水配管（共通配管）１６５ｂを通って再び空調用冷温水循環ポンプ１６７へと戻ってくる。
【００７８】
さらに、空調用冷温水循環回路１０８は、第１の空調用冷温水回路１０８ａを構成する空調用冷温水配管１６５ｄの第１の室内熱交換器１６１ａ入口近傍の位置に三方弁１６６を備えると共に、第２の空調用冷温水回路１０８ｂを構成する空調用冷温水配管１６８ｄの第２の室内熱交換器１６１ｂ入口近傍の位置に空調用冷温水分岐配管１６８ｅを備えている。この空調用冷温水分岐配管１６８ｅは三方弁１６６と接続されている。よって、第２の空調用冷温水回路１０８ｂを流れる水は、第２の室内熱交換器１６１ｂへ流入するだけでなく、第１の室内熱交換器１６１ａへも空調用冷温水分岐配管１６８ｅを経由して流入することが可能である。
【００７９】
また、空調用冷温水配管１６５ｂの内径（ｄｉＲ）は、その他の空調用冷温水配管１６５ａ、１６５ｃ、１６５ｄ、１６８ａ、１６８ｃ、１６８ｄ、１６８ｅの内径（ｄｉＣ）よりも大きいものとなっており、具体的には、０．５≦ｄｉＣ／ｄｉＲ≦０．８の関係を満たすものとなっている。この構成により、空調用冷温水配管１６５ｂにおいて水の圧力損失の増加は殆どない。よって、空調用冷温水循環ポンプ１６７の動力の増加は抑えられているのである。
【００８０】
また、第１の室内熱交換器１６１ａと第２の室内熱交換器１６１ｂとは、室内ファン１６２の空気の流れ方向（図６の矢印ＦＤの方向）に対して平行に配置されている。さらに、第１の室内熱交換器１６１ａは、第２の室内熱交換器１６１ｂよりも鉛直方向の上方に配置されている。
【００８１】
次に、太陽熱循環回路１１０は、住宅１６０の屋根に設置された太陽熱集熱器１０４と蓄熱タンク（第１の利用側熱交換器）１２８ａとを太陽熱用配管１８２、１８３で接続して環状に形成された回路である。太陽熱用配管１８２には、太陽熱用循環ポンプ１８５が組み込まれている。太陽熱集熱器１０４で加熱された水またはブライン（太陽熱搬送媒体）は、太陽熱用循環ポンプ１８５を駆動することにより、太陽熱循環回路１１０内を循環し、蓄熱タンク１２８ａを流れる間に、蓄熱タンク１２８ａに貯留されている水と熱交換を行う。これにより、太陽熱を用いて蓄熱タンク１２８ａ内の水を温めることができる。なお、太陽熱循環回路１１０を流れる水またはブラインの流量を制御するための流量制御弁１８４が太陽熱用配管１８２に設けられている。
【００８２】
次に、出湯経路１１１は、蓄熱タンク１２８ａに貯留されている水を給湯口１７９に供給するための配管１７５と、給水口１７８から蓄熱タンク１２８ａへ水道水を供給するための配管１７６ａと、給水口１７８から給湯口１７９に直接水道水を供給するための配管１７６ｂとを備えて構成されている。また、給湯口１７９を出た水は、配管１７４を流れて住宅１６０内に設けられた給湯用制御弁１６９と通って浴槽、台所、洗面所などに供給されることとなる。
【００８３】
なお、空調用冷媒回路１０５、空調用冷温水循環回路１０８（１０８ａ、１０８ｂ）、および太陽熱循環回路１１０には、図示しないが、温度センサや流量センサが適宜設けられている。そして、これらの温度センサや流量センサの検出信号は、空気調和装置に設けられた制御装置１０１ａに取り込まれている。この制御装置１０１ａは、図示しないリモコンの操作信号と、各温度センサおよび流量センサの信号とを入力し、これらの信号に基づいて、各回路１０５、１０８、１１０に組み込まれた各種機器（圧縮機、ポンプ、ファン、膨張弁、制御弁、四方弁、三方弁など）の動作を制御する。
【００８４】
続いて、上記した空気調和装置によって行われる各種運転モードについて、図７〜図１０を参照しながら説明する。ここで、図７〜図１０において、各熱交換器に付された矢印は熱の流れを示しており、空調用冷媒回路１０５、空調用冷温水循環回路１０８、太陽熱循環回路１１０に付された矢印は、流体が各回路を流れる向きを示している。また、図７〜図１０において、白色の制御弁は所定の開度で開いていることを示しており、黒色の制御弁は閉じていることを示している。また、図７〜図１０において、白色の三方弁は、３つのポート全てが開状態であることを示しており、３つのポートのうち２つが白色で残り１つが黒色の三方弁は、白色のポートが開状態、黒色のポートが閉状態であることを示している。また、図７〜図１０において、四方弁に描かれた円弧状の実線は、四方弁を流れる流体の流路を示している。図中、白抜きの矢印は、熱の流れ方向を示している。
【００８５】
「運転モードＮｏ．Ａ＜冷房運転＞」（図７参照）
運転モードＮｏ．Ａは、冷房運転を行うモードである。この運転モードＮｏ．Ａでは、空調用熱源側熱交換器１２４が凝縮器として使用され、空調利用側熱交換器１２８ｂは蒸発器として使用される。この運転モードＮｏ．Ａでは、空調用膨張弁１２７ａは所定の弁開度に制御されている。
【００８６】
空調用冷媒回路１０５では、空調用圧縮機１２１の吐出口１２１ｂより吐出された高温高圧のガス冷媒は、四方弁１２２を通って、空調用熱源側熱交換器１２４に流入する。空調用熱源側熱交換器１２４に流入した高温高圧のガス冷媒は、大気へ放熱して凝縮し、液化する。そして、空調用熱源側熱交換器１２４から流れ出た高圧の液冷媒は、空調用膨張弁１２７ａで住宅１６０内の冷却・除湿負荷に応じた蒸発圧力になるように減圧され、低温低圧の気液二相冷媒となる。その気液二相冷媒は、空調利用側熱交換器１２８ｂへと流入する。空調利用側熱交換器１２８ｂを流れる気液二相冷媒は、第２の空調用冷温水回路１０８ｂを流れる冷水から吸熱して蒸発し、低圧のガス冷媒となる。空調利用側熱交換器１２８ｂから流れ出たガス冷媒は、四方弁２２を通って空調用圧縮機１２１の吸込口１２１ａに流入し、空調用圧縮機１２１により再び圧縮されて高温高圧のガス冷媒となる。
【００８７】
第２の空調用冷温水回路１０８ｂでは、空調用冷温水循環ポンプ１６７を駆動することにより、空調利用側熱交換器１２８ｂを流れる空調用冷媒に放熱した冷水は、空調用冷温水配管１６８ｄを流れた後に、第２の室内熱交換器１６１ｂに流入すると共に、空調用冷温水分岐配管１６８ｅを流れて第１の室内熱交換器１６１ａにも流入する。そして、第１の室内熱交換器１６１ａおよび第２の室内熱交換器１６１ｂでは、冷水と住宅１６０内の高温の空気とで熱交換が行われ、住宅１６０の空気が冷却・除湿される。つまり、第１の室内熱交換器１６１ａおよび第２の室内熱交換器１６１ｂは冷却・除湿器（冷水コイル）として使用されるのである。このとき、第１の室内熱交換器１６１ａおよび第２の室内熱交換器１６１ｂを流れる冷水は、住宅１６０内の空気から吸熱して昇温される。この昇温された冷水は、空調用冷温水配管（共通配管）１６５ｂを流れて空調用冷温水循環ポンプ１６７へと戻り、再び、空調利用側熱交換器１２８ｂにて空調用冷媒へと放熱して冷却される。
【００８８】
一方、第１の空調用冷温水回路１０８ａでは、流量制御弁１６３が閉じており、かつ、三方弁１６６のポートのうち、蓄熱タンク１２８ａを流れた水が第１の室内熱交換器１６１ａへ流入する側のポートが閉じている。そのため、運転モードＮｏ．Ａでは、第１の空調用冷温水回路１０８ａ内を水が循環することはない。
【００８９】
太陽熱循環回路１１０では、太陽熱用循環ポンプ１８５を駆動して、水またはブラインを循環させている。太陽熱集熱器１０４で集熱された太陽熱は、太陽循環回路１１０内を流れる水またはブラインに吸熱された後、蓄熱タンク１２８ａを流れる間に蓄熱タンク１２８ａ内の貯留されている水へ放熱する。このように、水またはブラインを太陽熱循環回路１１０内に循環させることにより、太陽集熱器１０４で集熱された太陽熱が蓄熱タンク１２８ａに蓄熱されるのである。なお、この運転モードＡでは、浴槽、台所、洗面所などの給湯負荷の要求等に応じて、流量制御弁１８４の弁開度が制御されている。
【００９０】
この運転モードＮｏ．Ａでは、第１の室内熱交換器１６１ａと第２の室内熱交換器１６１ｂが室内ファン１６２の空気流れに対して平行に配置されているため、それぞれの室内熱交換器へ流入する空気の温度（アプローチ温度）を同一に保つ事ができる。このため、第１の室内熱交換器１６１ａおよび第２の室内熱交換器１６１ｂを流れる空気と冷水との間で同一の温度差で熱交換を行う事ができる。よって、運転モードＮｏ．Ａによれば、熱交換効率が良くなるといった利点がある。
【００９１】
「運転モードＮｏ．Ｂ＜暖房運転＞」（図８参照）
運転モードＮｏ．Ｂは、暖房運転を行うモードである。この運転モードＮｏ．Ｂでは、空調用熱源側熱交換器１２４が蒸発器として使用され、空調利用側熱交換器１２８ｂは凝縮器として使用される。この運転モードＮｏ．Ｂでは、空調用膨張弁１２７ａは所定の弁開度に制御されている。
【００９２】
空調用冷媒回路１０５では、空調用圧縮機１２１の吐出口１２１ｂより吐出された高温高圧のガス冷媒は、四方弁１２２を通って空調利用側熱交換器１２８ｂへ流入する。空調利用側熱交換器１２８ｂを流れる高温高圧のガス冷媒は、第２の空調用冷温水回路１０８ｂを流れる温水へ放熱して凝縮し、液化する。そして、空調利用側熱交換器１２８ｂから流れ出た液冷媒は、空調用膨張弁１２７ａで室外空気温度に応じた蒸発圧力になるように減圧され、低温低圧の気液二相冷媒となって空調用熱源側熱交換器１２４に流入する。空調用熱源側熱交換器１２４に流入した気液二相冷媒は、大気から吸熱して蒸発し、低圧のガス冷媒となる。そして、その低圧のガス冷媒は、四方弁１２２を通って空調用圧縮機１２１の吸込口１２１ａに流入し、空調用圧縮機１２１により再び圧縮されて高温高圧のガス冷媒となる。
【００９３】
第２の空調用冷温水回路１０８ｂでは、空調用冷温水循環ポンプ１６７を駆動することにより、空調利用側熱交換器１２８ｂを流れる空調用冷媒から吸熱した温水は、空調用冷温水配管１６８ｄを流れた後に、第２の室内熱交換器１６１ｂに流入すると共に、空調用冷温水分岐配管１６８ｅを流れて第１の室内熱交換器１６１ａにも流入する。そして、第１の室内熱交換器１６１ａおよび第２の室内熱交換器６１ｂでは、温水と住宅１６０内の低温の空気とで熱交換が行われ、住宅１６０の空気が加熱される。つまり、第１の室内熱交換器１６１ａおよび第２の室内熱交換器１６１ｂは加熱器（温水コイル）として使用されるのである。このとき、第１の室内熱交換器１６１ａおよび第２の室内熱交換器１６１ｂを流れる温水は、住宅１６０内の空気へ放熱して冷却される。この冷却された温水は、空調用冷温水配管（共通配管）１６５ｂを流れて空調用冷温水循環ポンプ１６７へと戻り、再び、空調利用側熱交換器１２８ｂにて空調用冷媒から吸熱して昇温される。
【００９４】
一方、第１の空調用冷温水回路１０８ａでは、流量制御弁１６３が閉じており、かつ、三方弁１６６のポートのうち、蓄熱タンク１２８ａを流れた水が第１の室内熱交換器１６１ａへ流入する側のポートが閉じている。そのため、運転モードＮｏ．Ｂでは、第１の空調用冷温水回路１０８ａ内を水が循環することはない。
【００９５】
太陽熱循環回路１１０では、太陽熱用循環ポンプ１８５を駆動して、水またはブラインを循環させている。太陽熱集熱器１０４で集熱された太陽熱は、太陽循環回路１１０内を流れる水またはブラインに吸熱された後、蓄熱タンク１２８ａを流れる間に蓄熱タンク１２８ａ内の貯留されている水へ放熱する。このように、水またはブラインを太陽熱循環回路１１０内に循環させることにより、太陽集熱器１０４で集熱された太陽熱が蓄熱タンク１２８ａに蓄熱されるのである。なお、この運転モードＢでは、浴槽、台所、洗面所などの給湯負荷の要求等に応じて、流量制御弁１８４の弁開度が制御されている。
【００９６】
この運転モードＮｏ．Ｂでは、第１の室内熱交換器１６１ａと第２の室内熱交換器１６１ｂが室内ファン１６２の空気流れに対して平行に配置されているため、それぞれの室内熱交換器へ流入する空気の温度（アプローチ温度）を同一に保つ事ができる。このため、第１の室内熱交換器１６１ａおよび第２の室内熱交換器１６１ｂを流れる空気と温水との間で同一の温度差で熱交換を行う事ができる。よって、運転モードＮｏ．Ｂによれば、熱交換効率が良くなるといった利点がある。
【００９７】
「運転モードＮｏ．Ｃ＜暖房運転（太陽熱利用）＞」（図９参照）
運転モードＮｏ．Ｃは、太陽熱を利用しながら暖房運転を行うモードである。この運転モードＮｏ．Ｃでは、空調用熱源側熱交換器１２４が蒸発器として使用され、空調利用側熱交換器１２８ｂは凝縮器として使用される。この運転モードＮｏ．Ｃでは、空調用膨張弁１２７ａは所定の弁開度に制御されている。
【００９８】
空調用冷媒回路１０５では、空調用圧縮機１２１の吐出口１２１ｂより吐出された高温高圧のガス冷媒は、四方弁１２２を通って空調利用側熱交換器２８ｂへ流入する。空調利用側熱交換器１２８ｂを流れる高温高圧のガス冷媒は、第２の空調用冷温水回路１０８ｂを流れる温水へ放熱して凝縮し、液化する。そして、空調利用側熱交換器１２８ｂから流れ出た液冷媒は、空調用膨張弁１２７ａで室外空気温度に応じた蒸発圧力になるように減圧され、低温低圧の気液二相冷媒となって空調用熱源側熱交換器１２４に流入する。空調用熱源側熱交換器１２４に流入した気液二相冷媒は、大気から吸熱して蒸発し、低圧のガス冷媒となる。そして、その低圧のガス冷媒は、四方弁１２２を通って空調用圧縮機１２１の吸込口１２１ａに流入し、空調用圧縮機１２１により再び圧縮されて高温高圧のガス冷媒となる。
【００９９】
第２の空調用冷温水回路１０８ｂでは、空調用冷温水循環ポンプ１６７を駆動することにより、空調利用側熱交換器１２８ｂを流れる空調用冷媒から吸熱した温水は、空調用冷温水配管１６８ｄを流れた後に、第２の室内熱交換器１６１ｂに流入する。そして、第２の室内熱交換器６１ｂでは、温水と住宅１６０内の低温の空気とで熱交換が行われ、住宅１６０の空気が加熱される。つまり、第２の室内熱交換器１６１ｂは加熱器（温水コイル）として使用されるのである。このとき、第２の室内熱交換器１６１ｂを流れる温水は、住宅１６０内の空気へ放熱して冷却される。この冷却された温水は、空調用冷温水配管（共通配管）１６５ｂを流れて空調用冷温水循環ポンプ１６７へと戻り、再び、空調利用側熱交換器１２８ｂにて空調用冷媒から吸熱して昇温される。
【０１００】
一方、第１の空調用冷温水回路１０８ａでは、流量制御弁１６３が暖房アシスト量（第１の室内熱交換器１６１ａに要求される暖房負荷量）に応じた弁開度となるように制御されており、かつ、三方弁１６６のポートのうち、空調用冷温水分岐配管１６８ｅと接続される側が閉じている。そのため、第１の空調用冷温水回路１０８ａでは、空調用冷温水循環ポンプ１６７を駆動することにより、温水は、流量制御弁１６３を通過し、空調用冷温水配管１６５ｃを流れて蓄熱タンク１２８ａに流れていく。この蓄熱タンク１２８ａにて、温水は、蓄熱タンク１２８ａに蓄熱された熱（太陽熱）を吸熱して昇温される。昇温された温水は、三方弁１６６を通って第１の室内熱交換器１６１ａに流れていく。そして、第１の室内熱交換器１６１ａにて昇温された温水と住宅１６０内の低温の空気とで熱交換が行われ、住宅１６０の空気が加熱される。つまり、第１の室内熱交換器１６１ａは加熱器（温水コイル）として使用されるのである。このとき、第１の室内熱交換器１６１ａを流れる温水は、住宅１６０内の空気へ放熱して冷却され、空調用冷温水配管（共通配管）１６５ｂを流れて空調用冷温水循環ポンプ１６７へと戻り、再び、空調利用側熱交換器１２８ｂにて空調用冷媒から吸熱して昇温される。
【０１０１】
太陽熱循環回路１１０では、太陽熱用循環ポンプ１８５を駆動して、水またはブラインを循環させている。太陽熱集熱器１０４で集熱された太陽熱は、太陽循環回路１１０内を流れる水またはブラインに吸熱された後、蓄熱タンク１２８ａを流れる間に蓄熱タンク１２８ａ内の貯留されている水へ放熱する。このように、水またはブラインを太陽熱循環回路１１０内に循環させることにより、太陽集熱器１０４で集熱された太陽熱が蓄熱タンク１２８ａに蓄熱されるのである。なお、この運転モードＣでは、暖房負荷の要求に応じて流量制御弁１８４の弁開度が制御されている。
【０１０２】
この運転モードＮｏ．Ｃでは、太陽熱集熱器１０４で集熱された太陽熱は、太陽熱循環回路１１０にて蓄熱タンク１２８ａへ蓄熱される。その蓄熱された太陽熱は、蓄熱タンク１２８ａを介して第１の空調用冷温水回路１０８ａを流れる水に吸熱される。その吸熱された太陽熱を利用して、住宅１６０の暖房が行われる。このように、運転モードＮｏ．Ｃによれば、太陽熱を利用した暖房運転により、空調サイクル運転の負荷が軽減されるため、空調サイクルの運転に掛かる消費電力を低減することが可能である。なお、この運転モードＮｏ．Ｃは、蓄熱タンク１２８ａ内の水の温度が所定温度以上になっている場合に行われる。
【０１０３】
「運転モードＮｏ．Ｄ＜冷房・除湿運転（太陽熱利用）＞」（図１０参照）
運転モードＮｏ．Ｄは、太陽熱を利用しながら冷房・除湿運転を行うモードである。この運転モードＮｏ．Ｄでは、空調用熱源側熱交換器１２４が凝縮器として使用され、空調利用側熱交換器１２８ｂは蒸発器として使用される。この運転モードＮｏ．Ｄでは、空調用膨張弁１２７ａは所定の弁開度に制御されている。
【０１０４】
空調用冷媒回路１０５では、空調用圧縮機１２１の吐出口１２１ｂより吐出された高温高圧のガス冷媒は、四方弁１２２を通って、空調用熱源側熱交換器１２４に流入する。空調用熱源側熱交換器１２４に流入した高温高圧のガス冷媒は、大気へ放熱して凝縮し、液化する。そして、空調用熱源側熱交換器１２４から流れ出た高圧の液冷媒は、空調用膨張弁１２７ａで住宅１６０内の冷却・除湿負荷に応じた蒸発圧力になるように減圧され、低温低圧の気液二相冷媒となる。その気液二相冷媒は、空調利用側熱交換器１２８ｂへと流入する。空調利用側熱交換器１２８ｂを流れる気液二相冷媒は、第２の空調用冷温水回路１０８ｂを流れる冷水から吸熱して蒸発し、低圧のガス冷媒となる。空調利用側熱交換器１２８ｂから流れ出たガス冷媒は、四方弁２２を通って空調用圧縮機１２１の吸込口１２１ａに流入し、空調用圧縮機１２１により再び圧縮されて高温高圧のガス冷媒となる。
【０１０５】
第２の空調用冷温水回路１０８ｂでは、空調用冷温水循環ポンプ１６７を駆動することにより、空調利用側熱交換器１２８ｂを流れる空調用冷媒に放熱した冷水は、空調用冷温水配管１６８ｄを流れた後に、第２の室内熱交換器１６１ｂに流入する。そして、第２の室内熱交換器１６１ｂでは、冷水と住宅１６０内の高温の空気とで熱交換が行われ、住宅１６０の空気が冷却・除湿される。つまり、第２の室内熱交換器１６１ｂは冷却・除湿器（冷水コイル）として使用されるのである。このとき、第２の室内熱交換器１６１ｂを流れる冷水は、住宅１６０内の空気から吸熱して昇温される。この昇温された冷水は、空調用冷温水配管（共通配管）１６５ｂを流れて空調用冷温水循環ポンプ１６７へと戻り、再び、空調利用側熱交換器１２８ｂにて空調用冷媒へと放熱して冷却される。
【０１０６】
一方、第１の空調用冷温水回路１０８ａでは、流量制御弁１６３が除湿の再加熱量（第１の室内熱交換器１６１ａで行われる熱交換量）に応じた弁開度となるように制御されており、かつ、三方弁１６６のポートのうち、空調用冷温水分岐配管１６８ｅと接続される側が閉じている。そのため、第１の空調用冷温水回路１０８ａでは、空調用冷温水循環ポンプ１６７を駆動することにより、冷水は、流量制御弁１６３を通過し、空調用冷温水配管１６５ｃを流れて蓄熱タンク１２８ａに流れていく。この蓄熱タンク１２８ａにて、冷水は、蓄熱タンク１２８ａに蓄熱された熱（太陽熱）を吸熱して昇温される。昇温された冷水は、三方弁１６６を通って第１の室内熱交換器１６１ａに流れていく。第１の室内熱交換器１６１ａでは、第１の空調用冷温水回路１０８ａ内の冷水に蓄えられた温熱により第２の室内熱交換器１６１ｂで冷却除湿された空気が再加熱される。つまり、第１の室内熱交換器１６１ａは再加熱器（温水コイル）として使用されるのである。このとき、第１の室内熱交換器１６１ａを流れる冷水は、住宅１６０内の空気へ放熱して冷却され、空調用冷温水配管（共通配管）１６５ｂを流れて空調用冷温水循環ポンプ１６７へと戻り、再び、蓄熱タンク１２８ａにて太陽熱を吸熱して昇温される。
【０１０７】
太陽熱循環回路１１０では、太陽熱用循環ポンプ１８５を駆動して、水またはブラインを循環させている。太陽熱集熱器１０４で集熱された太陽熱は、太陽循環回路１１０内を流れる水またはブラインに吸熱された後、蓄熱タンク１２８ａを流れる間に蓄熱タンク１２８ａ内の貯留されている水へ放熱する。このように、水またはブラインを太陽熱循環回路１１０内に循環させることにより、太陽集熱器１０４で集熱された太陽熱が蓄熱タンク１２８ａに蓄熱されるのである。なお、この運転モードＤでは、除湿の再加熱量に応じて流量制御弁１８４の弁開度が制御されている。
【０１０８】
この運転モードＮｏ．Ｄでは、太陽熱集熱器１０４で集熱された太陽熱は、太陽熱循環回路１１０にて蓄熱タンク１２８ａへ蓄熱される。その蓄熱された太陽熱は、蓄熱タンク１２８ａを介して第１の空調用冷温水回路１０８ａを流れる水に吸熱される。その吸熱された太陽熱を利用して、冷却除湿された空気の再加熱が行われる。このように、運転モードＮｏ．Ｄによれば、太陽熱を利用した冷房除湿運転により、空調サイクル運転の負荷が軽減されるため、空調サイクルの運転に掛かる消費電力を低減することが可能である。なお、この運転モードＮｏ．Ｄは、蓄熱タンク１２８ａ内の水の温度が所定温度以上になっている場合に行われる。
【０１０９】
ここで、室内ユニット１０２では、第１の室内熱交換器１６１ａにより再加熱された空気と、第２の室内熱交換器１６１ｂにより冷却・除湿された空気とが室内ファン６２により撹拌されて、室内温度と同じ温度で除湿された空気となる。その空気は、室内ユニット２の図示しない吹出口から室内へと吹き出されていく。
【０１１０】
この運転モードＮｏ．Ｄによれば、１つの冷凍サイクルを用いて冷却・除湿と再加熱を同時に行うことができるため、住宅１６０の室内へ快適な空気を提供することができる。さらに、第１の室内熱交換器１６１ａは、第２の室内熱交換器１６１ｂよりも鉛直方向の上方に配置されているので、運転モードＮｏ．Ｄの運転時に第２の室内熱交換器１６１ｂで発生したドレン水が滴下しても、第１の室内熱交換器１６１ａは第２の室内熱交換器１６１ｂより上方に位置しているので、ドレン水が第１の室内熱交換器１６１ａに流入することがない。このため、運転モードＮｏ．Ｄを運転しても、除湿によるドレン水が第１の室内熱交換器１６１ａによって再蒸発するといった問題は生じない。
【０１１１】
以上、説明したように、本発明の第１の実施の形態例および第２の実施の形態例に係る空気調和装置によれば、設備コストを掛けず、また複雑な制御も行うことなく、１つの空調サイクルで冷房運転、暖房運転、冷房・除湿運転を行うことができる。また、上記実施の形態例に係る空気調和装置は、熱交換効率が良く、省エネ性に優れている。さらに、第２の実施の形態例に係る空気調和装置では、太陽熱を空調サイクルに利用することもできるため、消費電力をより一層低減させることができる。
【０１１２】
なお、上記した実施の形態例に係る空気調和装置において、空調用冷温水回路８ａ、８ｂ、１０８ｂに、水の流れ方向を変更するための四方弁を設けても良い。この場合、熱交換器にて熱搬送媒体としての水と空調用冷媒とを常に対向流とすることができるため、熱交換効率が向上するといった利点がある。
【符号の説明】
【０１１３】
５…空調用冷媒回路５ａ…空調用冷媒メイン回路、５ｂ…空調用冷媒分岐路、５ｃ…第２の空調用冷媒分岐路、８ａ…第１の空調用冷温水回路（第１の熱搬送媒体回路）、８ｂ…第２の空調用冷温水回路（第２の熱搬送媒体回路）、２１…空調用圧縮機、２２…四方弁（空調用流路切替弁）、２４、…空調用熱源側熱交換器、２７ａ…第１の空調用膨張弁、２７ｂ…第２の空調用膨張弁、２８ａ…第１の空調利用側熱交換器（第１の利用側熱交換器）、２８ｂ…第２の空調利用側熱交換器（第２の利用側熱交換器）、２９…空調用バイパス配管、３４ａ、３４ｂ…三方弁（接続切替手段）、６０…住宅（被冷却空間）、６１ａ…第１の室内熱交換器、６１ｂ…第２の室内熱交換器、６３…流量制御弁（熱搬送媒体用流量制御弁）、６５ｂ…空調用冷温水配管（共通配管）、６７…空調用冷温水循環ポンプ（空調用熱搬送媒体循環ポンプ）
１０４…太陽熱集熱器、１０５…空調用冷媒回路、１０８…空調用冷温水循環回路（空調用熱搬送媒体循環回路）、１０８ａ…第１の空調用冷温水回路（第１の空調用熱搬送媒体回路）、１０８ｂ…第２の空調用冷温水回路（第２の空調用熱搬送媒体回路）、１１０…太陽熱循環回路、１２１…空調用圧縮機、１２２…四方弁（空調用流路切替弁）、１２４…空調用熱源側熱交換器、１２７…空調用膨張弁（第１の空調用膨張弁）、１２８ａ…蓄熱タンク（第１の利用側熱交換器）、１２８ｂ…空調用利用側熱交換器（第１の利用側熱交換器）、１６０…住宅（被冷却空間）、１６１ａ…第１の室内熱交換器、１６１ｂ…第２の室内熱交換器、１６３…流量制御弁（熱搬送媒体用流量制御弁）、１６５ｂ…空調用冷温水配管（共通配管）、１６７…空調用冷温水循環ポンプ（空調用熱搬送媒体循環ポンプ）
【図１】
0005499153.tif 000002
【図２】
0005499153.tif 000003
【図３】
0005499153.tif 000004
【図４】
0005499153.tif 000005
【図５】
0005499153.tif 000006
【図６】
0005499153.tif 000007
【図７】
0005499153.tif 000008
【図８】
0005499153.tif 000009
【図９】
0005499153.tif 000010
【図１０】
0005499153.tif 000011